(57)【要約】      （修正有）【課題】簡易な構造により、ネッカチーフ、ハンカチ、手袋などの布状体を束ね、保持可能とするとともに、テーブル、机などの天板上縁部に掛止め可能とし、バッグ、手提げ袋など吊り下げ物を掛着することもできる携帯型吊下げ具を提供する。【解決手段】携帯型吊下げ具１は、一対の半環状体２，３を備えてなり、一端部同士をヒンジ部材４により相互に連結させてなる。半環状体は、ヒンジ部材を中心に半環状体の他端部同士を近接させて全体環状に、さらに他端部側同士を相互に重ね合わせて、交差状態になるように近接・回動可能とし、あるいはヒンジ部材４を中心に他端部同士を相互に離隔させ、全体略数字３の形状になるまで離隔・回動させることを可能としている。【選択図】図１
0003186119.tif 000002
【実用新案登録請求の範囲】
【請求項１】
一対の半環状体を備えてなり、該半環状体の一端部同士はヒンジ部材により相互に連結され、該一対の半環状体は、ヒンジ部材を中心に半環状体の他端部同士を近接させて全体環状、さらに他端部側同士を相互に重ね合わせ、交差状態になるよう近接・回動可能とし、一方該一対の半環状体は、ヒンジ部材を中心に半環状体の他端部同士を相互に離隔させ、上記他端部側同士が交差状態あるいは他端部側同士が近接し、全体環状とされる状態から、全体略数字の３形状になるまで離隔・回動させることを可能とし、
一対の半環状体には、ヒンジ部材を中心に半環状体の他端部同士を近接させ、全体環状、さらに他端部側同士を相互に重ね合わせ、交差状態になるよう近接・回動させる状態において、一対の半環状体の他端部側同士が相互に重ね合わさる所定の交差状態で一対の半環状体の他端部側同士を係合させ、一対の半環状体の間で画成される空間にてネッカチーフ、ハンカチ、手袋などの布状体を束ね、保持可能とする係合部材を備え、
ヒンジ部材を中心に半環状体の他端部同士を相互に離隔させ、他端部側同士が交差状態あるいは他端部側同士が近接し、全体環状とされる状態から全体略数字の３形状になるまでの離隔・回動させ、一つの半環状体の他端部が上方に、もう一つの半環状体の他端部が下方に位置される状態になるように位置決めし、上方に位置決めされる半環状体の他端部をテーブル、机などの天板上縁部に掛止め可能とし、下方に位置決めされる半環状体の他端部側をバッグ、手提げ袋など吊り下げ物を掛着するためのフックとすることを可能とする携帯型吊下げ具。
【請求項２】
係合部材は、一対の半環状体の他端部側同士が、所定の近接・回動状態にある他端部側同士の交差状態で相互に係合可能となるよう、一対の半環状体のうち、一方の半環状体の他端部側に係合部を、他方の半環状体の他端部側において周方向に所定間隔で被係合部を備えるようにし、係合部をいずれかの被係合部に係合させて構成した請求項１に記載の携帯型吊下げ具。
【請求項３】
ヒンジ部材を中心に半環状体の他端部同士を相互に離隔させ、他端部側同士が交差状態あるいは他端部側同士が近接し、全体環状とされる状態から全体略数字の３形状になるまでの離隔・回動させ、一つの半環状体の他端部が上方に、もう一つの半環状体の他端部が下方に位置される状態になるように位置決めし、上方に位置決めされ、テーブル、机などの天板上縁部に掛止めされる一つの半環状体の他端部には、テーブル、机などの天板上縁部に沿い、天板上縁部と当接可能なフラット部を一つの半環状体の他端部周方向の内側に備えるようにした請求項１に記載の携帯型吊下げ具。
【考案の詳細な説明】
【技術分野】
【０００１】
本考案は、テーブル、机などの天板上縁部に掛止め可能とし、バッグ、手提げ袋など吊り下げ物を掛着するためのフックを備えた携帯型吊下げ具に関する。
【背景技術】
【０００２】
テーブル、机などの天板上縁部に掛止め可能とし、バッグ、手提げ袋など吊り下げ物を掛着するためのフックを備えた携帯型吊下げ具としては、従来例えば下記特許文献１に示すようなものが存在する。この吊下げ具は、使用しない時にはハンドバッグやポケットなどに入れて携帯することが可能にしている。そして例えばレストランなどの席に着席した際に吊下げを具を取り出し、該吊下げ具の円板部をテーブル、机などの天板上縁部に掛止めし、さらにフック部材を回動させて、この部分に吊り下げ物を掛着して使用するものとされる。
【先行技術文献】
【特許文献】
【０００３】
【特許文献１】実用新案登録第３１５５０９５号公報
【考案の開示】
【考案が解決しようとする課題】
【０００４】
ところで本願の考案者においては、上記従来の吊下げ具に代え、より多機能の装身具を開発すべく試行錯誤を行っていたところ、特に女性においてネッカチーフ、ハンカチ、手袋などの布状体を束ね、保持可能とする装身具の開発についても求めらていたところである。そうした中、本願の考案者は今般手袋などの布状体を束ね、保持可能とし、併せてテーブル、机などの天板上縁部に掛止め可能とし、バッグ、手提げ袋など吊り下げ物を掛着するためのフックを備えた携帯型吊下げ具を考案するに至ったものである。
【０００５】
すなわち、本考案は、簡易な構造により、ネッカチーフ、ハンカチ、手袋などの布状体を束ね、保持可能とするとともに、テーブル、机などの天板上縁部に掛止め可能とし、バッグ、手提げ袋など吊り下げ物を掛着するためのフックを備えた携帯型吊下げ具としても使用することができ、極めて機能性の高い携帯型吊下げ具の提供を可能としている。
【課題を解決するための手段】
【０００６】
上記目的を達成するため、本考案の請求項１の携帯型吊下げ具は、一対の半環状体を備えてなり、該半環状体の一端部同士はヒンジ部材により相互に連結され、該一対の半環状体は、ヒンジ部材を中心に半環状体の他端部同士を近接させて全体環状、さらに他端部側同士を相互に重ね合わせ、交差状態になるよう近接・回動可能とし、一方該一対の半環状体は、ヒンジ部材を中心に半環状体の他端部同士を相互に離隔させ、上記他端部側同士が交差状態あるいは他端部側同士が近接し、全体環状とされる状態から、全体略数字の３形状になるまで離隔・回動させることを可能とし、一対の半環状体には、ヒンジ部材を中心に半環状体の他端部同士を近接させ、全体環状、さらに他端部側同士を相互に重ね合わせ、交差状態になるよう近接・回動させる状態において、一対の半環状体の他端部側同士が相互に重ね合わさる所定の交差状態で一対の半環状体の他端部側同士を係合させ、一対の半環状体の間で画成される空間にてネッカチーフ、ハンカチ、手袋などの布状体を束ね、保持可能とする係合部材を備え、ヒンジ部材を中心に半環状体の他端部同士を相互に離隔させ、他端部側同士が交差状態あるいは他端部側同士が近接し、全体環状とされる状態から全体略数字の３形状になるまでの離隔・回動させ、一つの半環状体の他端部が上方に、もう一つの半環状体の他端部が下方に位置される状態になるように位置決めし、上方に位置決めされる半環状体の他端部をテーブル、机などの天板上縁部に掛止め可能とし、下方に位置決めされる半環状体の他端部側をバッグ、手提げ袋など吊り下げ物を掛着するためのフックとしたものである。
【０００７】
また請求項２に係る携帯型吊下げ具は、係合部材を、一対の半環状体の他端部側同士が、所定の近接・回動状態にある他端部側同士の交差状態で相互に係合可能となるよう、一対の半環状体のうち、一方の半環状体の他端部側に係合部を、他方の半環状体の他端部側において周方向に所定間隔で被係合部を備えるようにし、係合部をいずれかの被係合部に係合させて構成したものである。
【０００８】
また請求項３に係る携帯型吊下げ具は、ヒンジ部材を中心に半環状体の他端部同士を相互に離隔させ、他端部側同士が交差状態あるいは他端部側同士が近接し、全体環状とされる状態から全体略数字の３形状になるまでの離隔・回動させ、一つの半環状体の他端部が上方に、もう一つの半環状体の他端部が下方に位置される状態になるように位置決めし、上方に位置決めされ、テーブル、机などの天板上縁部に掛止めされる一つの半環状体の他端部には、テーブル、机などの天板上縁部に沿い、天板上縁部と当接可能なフラット部を一つの半環状体の他端部周方向の内側に備えるようにしたものである。
【考案の効果】
【０００９】
本考案に係る携帯型吊下げ具によれば、ヒンジ部材を中心に半環状体の他端部同士を近接させ、全体環状、さらに他端部側同士を相互に重ね合わせ、交差状態になるよう近接・回動させる状態において、一対の半環状体の他端部側同士が相互に重ね合わさる所定の交差状態で一対の半環状体の他端部側同士を係合部材により係合させ、一対の半環状体の間で画成される空間にてネッカチーフ、ハンカチ、手袋などの布状体を束ね、保持可能となる。また、本考案に係る携帯型吊下げ具によれば、ヒンジ部材を中心に半環状体の他端部同士を相互に離隔させ、上記他端部側同士が交差状態あるいは他端部側同士が近接し、全体環状とされる状態から、全体略数字の３形状になるまで離隔・回動させることを可能とし、一つの半環状体の他端部が上方に、もう一つの半環状体の他端部が下方に位置される状態になるように位置決めし、上方に位置決めされる半環状体の他端部をテーブル、机などの天板上縁部に掛止め可能とし、下方に位置決めされる半環状体の他端部側をフックとし、バッグ、手提げ袋など吊り下げ物を掛着することが可能となる。この結果、簡易な構造により、ネッカチーフ、ハンカチ、手袋などの布状体を束ね、保持可能とするとともに、テーブル、机などの天板上縁部に掛止め可能とし、バッグ、手提げ袋など吊り下げ物を掛着するためのフックを備えた携帯型吊下げ具としても使用することができ、極めて機能性の高い携帯型吊下げ具の提供が可能となる。
【図面の簡単な説明】
【００１０】
【図１】本考案の実施形態に係る携帯型吊下げ具に係り、半環状体の他端部同士を近接・回動させる状態を示す斜視図である。
【図２】一対の半環状体の他端部側同士を相互に重ね合わせ、係合部材により所定の交差状態で係合させた状態を示す斜視図である。
【図３】実施形態に係る携帯型吊下げ具により、下方に位置決めされる半環状体の他端部側のフックに吊り下げ物を掛着した状態を示す正面図である。
【図４】実施形態に係る携帯型吊下げ具により、手袋からなる布状体を束ね、保持させた状態を示す斜視図である。
【図５】図１のＶ−Ｖ線に沿う断面図である。
【図６】図１のＶI−ＶI線に沿う断面図である。
【図７】図２のＶII−ＶII線に沿う断面図である。
【図８】係合部材の係合を解除した状態を示す図７と同様の断面図である。
【考案を実施するための形態】
【００１１】
以下、本考案の実施形態を図１ないし図８に基づいて説明する。実施形態に係る携帯型吊下げ具１は、図１に示すように三日月状に湾曲した一対の半環状体２と３を湾曲凹部同士を対向させる状態で備えてなり、半環状体２，３の一端部同士はヒンジ部材４により相互に連結させてなる。該一対の半環状体２，３は、ヒンジ部材４を中心に半環状体２，３の他端部同士を近接あるいは離隔させる方向（θ方向）に回動可能とされ、図１に示すように一対の半環状体２，３同士を近接させる方向（θ１方向）に回動させて全体環状に、さらに図２に示すように他端部側同士を相互に重ね合わせ、交差状態になるよう近接・回動することが可能とされる。
【００１２】
半環状体２，３のうち、一方の半環状体２は、一端部側において矢印θ１方向に回動される半環状体３の他端部を係入可能とするスリット２Ａが備えられ、半環状体２の他端部側には、矢印θ１方向に回動される半環状体３の他端部を案内するガイド凹部２Ｂがその内側に備えられる。これに対し、他方の半環状体３は、一端部側を半環状体２のスリット２Ａにおける一端部側内に位置決めされ、この部分においてヒンジ部材４により半環状体２の一端部側に連結させている。すなわち、他方の半環状体３は、矢印θ１方向に回動される状態において、他端部側を図２に示すように半環状体２のスリット２Ａに通過させ、一対の半環状体２，３の他端部側同士が相互に重ね合わさる所定の交差状態とすることを可能にしている。
【００１３】
該一対の半環状体２，３は、ヒンジ部材４を中心に半環状体２，３の他端部同士を相互に離隔させる方向（θ２方向）に回動させ、図２に示すような他端部側同士が交差状態あるいは図１に示すような他端部側同士が近接し、全体環状とされる状態から、一対の半環状体２，３が図３で示すように全体略数字の３形状になるまで離隔・回動させることを可能としている。
【００１４】
携帯型吊下げ具１の一対の半環状体２，３には、ヒンジ部材４を中心に半環状体２，３の他端部同士を近接させ、全体環状（図１に示す状態）、さらに他端部側同士を相互に重ね合わせ、交差状態になるよう近接・回動させる状態（図２に示す状態）において、一対の半環状体２，３の他端部側同士が相互に重ね合わさる所定の交差状態で一対の半環状体２，３の他端部側同士を係合させ、一対の半環状体２，３の湾曲凹部間で画成される空間５（図２参照）にてネッカチーフ、ハンカチ、手袋などの布状体を束ね、保持可能とする係合部材６を備えてなる。
【００１５】
係合部材６は、一対の半環状体２，３の他端部側同士が、所定の近接・回動状態にある他端部側同士の交差状態で相互に係合可能となるよう、一対の半環状体２，３のうち、一方の半環状体２の他端部側に係合部としての係合体８を、他方の半環状体３の他端部側において周方向（図１，図６のθ方向）の外側に、所定間隔Ｔ（図１参照）をもって被係合部としての被係合凹穴７Ａ，７Ｂ，７Ｃ，７Ｄ，７Ｅを備えるようにしている。
【００１６】
半環状体２の他端部側に形成される係合部としての係合体８は、図１および図２に示すように矢印Ａ方向に引っ張り操作可能とするツマミからなる。係合部材６としての係合体８は、図７および図８に示すように常時はスプリング１０の付勢力により半環状体２の他端部側のガイド凹部２Ｂにその先端部を突出させ、係合体８（ツマミ）をスプリング１０の付勢力に抗して図７の矢印Ａ方向に引っ張り操作することでガイド凹部２Ｂからその先端部を退動可能とする進退ロッド１１を備えてなる。すなわち、進退ロッド１１は、半環状体２の他端部外側からガイド凹部２Ｂに貫通する孔部１３内にその先端部側を内挿させてなり、基端部は半環状体２の他端部外側に取付けられる円筒形のキャップ体１４に内装される。キャップ体１４の内部において進退ロッド１１の軸回りには上記スプリング１０が外挿され、進退ロッド１１の基端部は係合体８（ツマミ）の内方に螺着される。この結果、係合体８（ツマミ）を図１および図２に示すように矢印Ａ方向に引っ張り操作することで係合体８（ツマミ）はキャップ体１４の外側でガイドされてＡ方向にスライドされることになり、進退ロッド１１の先端部をガイド凹部２Ｂから孔部１３内に退動させることを可能にしている（図８参照）。
【００１７】
こうした構成からなる係合部材６としての係合体８は、矢印θ１方向に回動され、スリット２Ａの部分を通過させ、半環状体２の他端部側に対して相互に重ね合わさる半環状体３の他端部にあって、半環状体３の他端部側において周方向（図１，図６のθ方向）の外側に、所定間隔Ｔをもって形成される被係合凹穴７Ａ，７Ｂ，７Ｃ，７Ｄのいずれかに対し、ガイド凹部２Ｂの部分で進退ロッド１１の先端部を図７に示すように係入させ、一対の半環状体２，３の他端部側同士が、所定の近接・回動状態にある他端部側同士の交差状態で相互に係合可能とすることが可能となる。すなわち、一対の半環状体２，３のうち、一方の半環状体２の他端部側に形成される係合部としての係合体８の進退ロッド１１の先端部を、他方の半環状体３の他端部側において周方向に所定間隔Ｔをもって備えられる被係合凹穴７Ａ，７Ｂ，７Ｃ，７Ｄのいずれかに係入させるようにし、これにより他端部側同士を所定の交差状態で相互に係合可能とすることができる。そしてその係合を解除する場合は、係合体８（ツマミ）を図１および図２の矢印Ａ方向に引っ張り操作することで図８に示すようにその係合を解除することが可能となる。なお、実施形態において、進退ロッド１１の先端部はガイド凹部２Ｂ側に対してわずかに突出するものとされ、半環状体２に対して半環状体３をθ方向に回動させる際に、進退ロッド１１の先端部は半環状体３と摺接されてキャップ体１４側に退動し、各被係合凹穴７Ａ，７Ｂ，７Ｃ，７Ｄの部分においてその都度突出して係入し、半環状体３をその部分において停留させることが可能となる。
【００１８】
このように半環状体２側に備えられる係合体８の進退ロッド１１の先端部を、他方の半環状体３の他端部側において周方向に所定間隔Ｔをもって備えられる被係合凹穴７Ａ，７Ｂ，７Ｃ，７Ｄのいずれかに係入させることで、一対の半環状体２，３の他端部側同士が相互に重ね合わさる所定の交差状態で係合させることが可能となり、これにより一対の半環状体２，３の湾曲凹部間で画成される空間５（図２参照）の大きさを変化させ、例えば図４に示すように手袋９などの布状体を束ね、保持することが可能となる。
【００１９】
携帯型吊下げ具１は、前記布状体を束ね、保持する機能の他に、ヒンジ部材４を中心に半環状体２，３の他端部同士を相互にθ２方向（図２参照）に離隔させ、他端部側同士が交差状態あるいは他端部側同士が近接し、全体環状とされる状態から図３に示すような全体略数字の３形状になるまでの離隔・回動させ、バッグ、手提げ袋など吊り下げ物１２を掛着するためのフックとしても用いることが可能となる。すなわち、図３に示す状態において、一つの半環状体２の他端部が上方に、もう一つの半環状体３の他端部が下方に位置される状態になるように位置決めし、上方に位置決めされる半環状体２の他端部をテーブル、机などの天板１５の上縁部に掛止めさせ、一方、下方に位置決めされる半環状体３の他端部側をバッグ、手提げ袋など吊り下げ物１２の提げ部１６を掛着することが可能となる。
【００２０】
ここで上方に位置決めされ、テーブル、机などの天板１５の上縁部に掛止めされる一つの半環状体２の他端部には、テーブル、机などの天板１５の上縁部に沿い、天板１５の上縁部と当接可能なフラット部１７を一つの半環状体２の他端部周方向の内側に備えるようにしてなり、該他端部を天板１５の上縁部に対して安定状態で掛止めすることが可能となる。
【００２１】
こうして形成される携帯型吊下げ具１は、図４に示すような手袋９などの布状体を束ね、保持する用途、図３に示す吊り下げ物１２を掛着するためのフックとして使用する用途があるが、普段は図２に示す状態でハンドバッグやポケットなどに入れて携帯することが可能とされる。また図１に示すように、半環状体２，３の一端部側に取付けられるホルダ部材１８によりキーその他の部材に保持される装身具としても利用することが可能となる。
【産業上の利用可能性】
【００２２】
以上のように、本考案は、簡易な構造により、ネッカチーフ、ハンカチ、手袋などの布状体を束ね、保持可能とするとともに、テーブル、机などの天板上縁部に掛止め可能とし、バッグ、手提げ袋など吊り下げ物を掛着するためのフックを備えた携帯型吊下げ具としても使用することができ、従来にない特に女性用の装身具として応用することが期待できる。
【符号の説明】
【００２３】
１                              携帯型吊下げ具
２，３                          半環状体
２Ａ                            スリット
２Ｂ                            ガイド凹部
４                              ヒンジ部材
５                              空間
６                              係合部材
７Ａ，７Ｂ，７Ｃ，７Ｄ，７Ｅ    被係合凹穴
８                              係合体
９                              手袋
１０                            スプリング
１１                            進退ロッド
１２                            吊り下げ物
１３                            孔部
１４                            キャップ体１４
１５                            天板
１６                            提げ部
１７                            フラット部
１８                            ホルダ部材
【図１】
0003186119.tif 000003
【図２】
0003186119.tif 000004
【図３】
0003186119.tif 000005
【図４】
0003186119.tif 000006
【図５】
0003186119.tif 000007
【図６】
0003186119.tif 000008
【図７】
0003186119.tif 000009
【図８】
0003186119.tif 000010